(57)【特許請求の範囲】
【請求項１】
光を分波して第一分波光および第二分波光を得る分波部と、
前記第一分波光が通過する第一光路と、
前記第二分波光が通過する第二光路と、
前記第一光路を通過した前記第一分波光と、前記第二光路を通過した前記第二分波光とを合波する合波部と、
前記第一光路に沿って配置され、前記第一分波光が前記第一光路を通過する時間を、与えられる第一電気パルス信号に応じて変化させる複数の第一時間変化部と、
前記第二光路に沿って配置され、前記第二分波光が前記第二光路を通過する時間を、与えられる第二電気パルス信号に応じて変化させる複数の第二時間変化部と、
を備え、
前記第一電気パルス信号および前記第二電気パルス信号は、パルス幅PWが共通しており、
複数の前記第一時間変化部の個数をN1とし（ただし、N1は２以上の整数）、
複数の前記第二時間変化部の個数をN2とし（ただし、N2は２以上の整数）、
N = N1＋N2とし、
前記第一時間変化部および前記第二時間変化部の前記第一光路の方向の軸上の座標をX(n)としたときに（ただし、nは、前記第一時間変化部および前記第二時間変化部を前記軸上に射影したものが、前記第一分波光が入射する前記第一光路の入射端を前記軸上に射影したものに近いほど小さな、1以上かつN以下の整数）、
nが２以上の場合における、座標X(n)の前記第一時間変化部に与えられる前記第一電気パルス信号および座標X(n)の前記第二時間変化部に与えられる前記第二電気パルス信号は、
座標X(1)の前記第一時間変化部または前記第二時間変化部に与えられる前記第一電気パルス信号または前記第二電気パルス信号を、
(m/N+k)・PW+(X(n)−X(1))no/C
だけ遅延させたものに相当し（ただし、noは前記第一光路および前記第二光路の実効屈折率、Cは光速、kは任意の整数、mは１以上かつN−1以下の整数）、
前記第一時間変化部および前記第二時間変化部の各々について、mは異なる値を有する、
光信号ビットレート調整装置。
【請求項２】
請求項１に記載の光信号ビットレート調整装置であって、
nが小さいほど、mが小さい、
光信号ビットレート調整装置。
【請求項３】
請求項１に記載の光信号ビットレート調整装置であって、
前記第一時間変化部が、与えられる前記第一電気パルス信号の電圧に応じて、前記第一光路の所定の部分の屈折率を変化させ、
前記第二時間変化部が、与えられる前記第二電気パルス信号の電圧に応じて、前記第二光路の所定の部分の屈折率を変化させる、
光信号ビットレート調整装置。
【請求項４】
請求項１に記載の光信号ビットレート調整装置であって、
前記第一時間変化部は、前記第一電気パルス信号が所定の状態のときに、前記第一分波光の位相をπ変化させ、
前記第二時間変化部は、前記第二電気パルス信号が所定の状態のときに、前記第二分波光の位相をπ変化させる、
光信号ビットレート調整装置。
【請求項５】
請求項１に記載の光信号ビットレート調整装置であって、
前記第一電気パルス信号および前記第二電気パルス信号が与えられないときに、前記合波部の出力が最小または最大になるように、前記第一分波光および前記第二分波光の一方または双方を遅延させる遅延部、
を備えた光信号ビットレート調整装置。
【請求項６】
請求項１ないし５のいずれか一項に記載の光信号ビットレート調整装置と、
前記分波部に連続波光を与える連続波光源と、
を備えた光信号発生装置。
【請求項７】
請求項６に記載の光信号発生装置であって、
前記合波部が出力する出力パルス光の高さまたはオフセットを調整する出力パルス光調整部、
を備えた光信号発生装置。
【請求項８】
請求項１ないし５のいずれか一項に記載の光信号ビットレート調整装置と、
前記分波部に入力パルス光を与えるパルス光源と、
を備えた光信号発生装置。
【請求項９】
請求項８に記載の光信号発生装置であって、
前記合波部が出力する出力パルス光をNRZ信号パルス光に変換するNRZ変換部と、
前記NRZ信号パルス光の高さまたはオフセットを調整するNRZパルス光調整部と、
を備えた光信号発生装置。
【請求項１０】
請求項６ないし９のいずれか一項に記載の光信号発生装置と、
前記第一電気パルス信号および前記第二電気パルス信号を生成する電気パルス信号源と、
を備え、
前記光信号発生装置の出力を被測定物に与える、
光試験装置。
【請求項１１】
光を分波して第一分波光および第二分波光を得る分波部と、
前記第一分波光が通過する第一光路と、
前記第二分波光が通過する第二光路と、
前記第一光路を通過した前記第一分波光と、前記第二光路を通過した前記第二分波光とを合波する合波部と、
を備えた光信号ビットレート調整装置における光信号ビットレート調整方法であって、
前記第一光路に沿って配置された複数の第一時間変化部により、前記第一分波光が前記第一光路を通過する時間を、与えられる第一電気パルス信号に応じて変化させる工程と、
前記第二光路に沿って配置された複数の第二時間変化部により、前記第二分波光が前記第二光路を通過する時間を、与えられる第二電気パルス信号に応じて変化させる工程と、
を備え、
前記第一電気パルス信号および前記第二電気パルス信号は、パルス幅PWが共通しており、
複数の前記第一時間変化部の個数をN1とし（ただし、N1は２以上の整数）、
複数の前記第二時間変化部の個数をN2とし（ただし、N2は２以上の整数）、
N = N1＋N2とし、
前記第一時間変化部および前記第二時間変化部の前記第一光路の方向の軸上の座標をX(n)としたときに（ただし、nは、前記第一時間変化部および前記第二時間変化部を前記軸上に射影したものが、前記第一分波光が入射する前記第一光路の入射端を前記軸上に射影したものに近いほど小さな、1以上かつN以下の整数）、
nが２以上の場合における、座標X(n)の前記第一時間変化部に与えられる前記第一電気パルス信号および座標X(n)の前記第二時間変化部に与えられる前記第二電気パルス信号は、
座標X(1)の前記第一時間変化部または前記第二時間変化部に与えられる前記第一電気パルス信号または前記第二電気パルス信号を、
(m/N+k)・PW+(X(n)−X(1))no/C
だけ遅延させたものに相当し（ただし、noは前記第一光路および前記第二光路の実効屈折率、Cは光速、kは任意の整数、mは１以上かつN−1以下の整数）、
前記第一時間変化部および前記第二時間変化部の各々について、mは異なる値を有する、
光信号ビットレート調整方法。
【請求項１２】
請求項１０に記載の光試験装置の前記電気パルス信号源を制御して、前記第一電気パルス信号および前記第二電気パルス信号を生成させる電気パルス信号生成制御処理をコンピュータに実行させるためのプログラム。
【請求項１３】
請求項１０に記載の光試験装置の前記電気パルス信号源を制御して、前記第一電気パルス信号および前記第二電気パルス信号を生成させる電気パルス信号生成制御処理をコンピュータに実行させるためのプログラムを記録したコンピュータによって読み取り可能な記録媒体。
【発明の詳細な説明】
【技術分野】
【０００１】
本発明は、光試験信号の発生に関する。
【背景技術】
【０００２】
従来より、光を入出力するＤＵＴ（被測定物）に光試験信号を与えることが知られている（例えば、特許文献１の要約を参照）。
【０００３】
なお、光信号をＲＺ信号からＮＲＺ信号へ変換すること、および、光信号をＮＲＺ信号からＲＺ信号へ変換することは、非特許文献１に記載があり、光信号をＲＺ信号からＮＲＺ信号へ変換することは、非特許文献２に記載がある。
【０００４】
【特許文献１】特開平６−５０８４５号公報
【非特許文献１】Lei Xu, BingC. Wang, Varghese Baby, Ivan Glesk, and Paul R. Prucnal, “All-Optical DataFormat Conversion Between RZ and NRZ Based on a Mach-Zehnder InterferometricWavelength Converter”, IEEE PHOTONICSTECHNOLOGY LETTERS VOL. 15, NO. 2, pp. 308-310, February 2003
【非特許文献２】Yu Yu, Xinliang Zhang, Dexiu Huang, Lijun Li, and Wei Fu, “20-Gb/s All-Optical Format Conversions From RZ Signals With Different DutyCycles to NRZ Signals”, IEEE PHOTONICSTECHNOLOGY LETTERS, VOL. 19, NO. 14, pp. 1027-1029, JULY 15, 2007
【発明の開示】
【発明が解決しようとする課題】
【０００５】
光を入出力するＤＵＴには、例えば、光を入出力するＶＬＳＩも考えられ、より高い周波数の光試験信号を生成することが望まれている。
【０００６】
そこで、本発明は、より高い周波数の光試験信号を生成することを課題とする。
【課題を解決するための手段】
【０００７】
本発明にかかる光信号ビットレート調整装置は、光を分波して第一分波光および第二分波光を得る分波部と、前記第一分波光が通過する第一光路と、前記第二分波光が通過する第二光路と、前記第一光路を通過した前記第一分波光と、前記第二光路を通過した前記第二分波光とを合波する合波部と、前記第一光路に沿って配置され、前記第一分波光が前記第一光路を通過する時間を、与えられる第一電気パルス信号に応じて変化させる複数の第一時間変化部と、前記第二光路に沿って配置され、前記第二分波光が前記第二光路を通過する時間を、与えられる第二電気パルス信号に応じて変化させる複数の第二時間変化部と、を備え、前記第一電気パルス信号および前記第二電気パルス信号は、パルス幅PWが共通しており、複数の前記第一時間変化部の個数をN1とし（ただし、N1は２以上の整数）、複数の前記第二時間変化部の個数をN2とし（ただし、N2は２以上の整数）、N = N1＋N2とし、前記第一時間変化部および前記第二時間変化部の前記第一光路の方向の軸上の座標をX(n)としたときに（ただし、nは、前記第一時間変化部および前記第二時間変化部を前記軸上に射影したものが、前記第一分波光が入射する前記第一光路の入射端を前記軸上に射影したものに近いほど小さな、1以上かつN以下の整数）、nが２以上の場合における、座標X(n)の前記第一時間変化部に与えられる前記第一電気パルス信号および座標X(n)の前記第二時間変化部に与えられる前記第二電気パルス信号は、座標X(1)の前記第一時間変化部または前記第二時間変化部に与えられる前記第一電気パルス信号または前記第二電気パルス信号を、(m/N+k)・PW+(X(n)−X(1))no/Cだけ遅延させたものに相当し（ただし、noは前記第一光路および前記第二光路の実効屈折率、Cは光速、kは任意の整数、mは１以上かつN−1以下の整数）、前記第一時間変化部および前記第二時間変化部の各々について、mは異なる値を有するように構成される。
【０００８】
上記のように構成された光信号ビットレート調整装置によれば、分波部が、光を分波して第一分波光および第二分波光を得る。第一光路が、前記第一分波光が通過する。第二光路が、前記第二分波光が通過する。合波部が、前記第一光路を通過した前記第一分波光と、前記第二光路を通過した前記第二分波光とを合波する。複数の第一時間変化部が、前記第一光路に沿って配置され、前記第一分波光が前記第一光路を通過する時間を、与えられる第一電気パルス信号に応じて変化させる。複数の第二時間変化部が、前記第二光路に沿って配置され、前記第二分波光が前記第二光路を通過する時間を、与えられる第二電気パルス信号に応じて変化させる。
【０００９】
しかも、前記第一電気パルス信号および前記第二電気パルス信号は、パルス幅PWが共通しており、複数の前記第一時間変化部の個数をN1とし（ただし、N1は２以上の整数）、複数の前記第二時間変化部の個数をN2とし（ただし、N2は２以上の整数）、N = N1＋N2とし、前記第一時間変化部および前記第二時間変化部の前記第一光路の方向の軸上の座標をX(n)としたときに（ただし、nは、前記第一時間変化部および前記第二時間変化部を前記軸上に射影したものが、前記第一分波光が入射する前記第一光路の入射端を前記軸上に射影したものに近いほど小さな、1以上かつN以下の整数）、nが２以上の場合における、座標X(n)の前記第一時間変化部に与えられる前記第一電気パルス信号および座標X(n)の前記第二時間変化部に与えられる前記第二電気パルス信号は、座標X(1)の前記第一時間変化部または前記第二時間変化部に与えられる前記第一電気パルス信号または前記第二電気パルス信号を、(m/N+k)・PW+(X(n)−X(1))no/Cだけ遅延させたものに相当し（ただし、noは前記第一光路および前記第二光路の実効屈折率、Cは光速、kは任意の整数、mは１以上かつN−1以下の整数）、前記第一時間変化部および前記第二時間変化部の各々について、mは異なる値を有する。
【００１０】
なお、本発明にかかる光信号ビットレート調整装置は、nが小さいほど、mが小さいようにしてもよい。
【００１１】
なお、本発明にかかる光信号ビットレート調整装置は、前記第一時間変化部が、与えられる前記第一電気パルス信号の電圧に応じて、前記第一光路の所定の部分の屈折率を変化させ、前記第二時間変化部が、与えられる前記第二電気パルス信号の電圧に応じて、前記第二光路の所定の部分の屈折率を変化させるようにしてもよい。
【００１２】
なお、本発明にかかる光信号ビットレート調整装置は、前記第一時間変化部は、前記第一電気パルス信号が所定の状態のときに、前記第一分波光の位相をπ変化させ、前記第二時間変化部は、前記第二電気パルス信号が所定の状態のときに、前記第二分波光の位相をπ変化させるようにしてもよい。
【００１３】
なお、本発明にかかる光信号ビットレート調整装置は、前記第一電気パルス信号および前記第二電気パルス信号が与えられないときに、前記合波部の出力が最小または最大になるように、前記第一分波光および前記第二分波光の一方または双方を遅延させる遅延部を備えるようにしてもよい。
【００１４】
本発明にかかる光信号発生装置は、本発明にかかる光信号ビットレート調整装置と、前記分波部に連続波光を与える連続波光源と、を備えるように構成される。
【００１５】
なお、本発明にかかる光信号発生装置は、前記合波部が出力する出力パルス光の高さまたはオフセットを調整する出力パルス光調整部を備えるようにしてもよい。
【００１６】
本発明にかかる光信号発生装置は、本発明にかかる光信号ビットレート調整装置と、前記分波部に入力パルス光を与えるパルス光源とを備えるように構成される。
【００１７】
なお、本発明にかかる光信号発生装置は、前記合波部が出力する出力パルス光をNRZ信号パルス光に変換するNRZ変換部と、前記NRZ信号パルス光の高さまたはオフセットを調整するNRZパルス光調整部とを備えるようにしてもよい。
【００１８】
本発明にかかる光試験装置は、本発明にかかる光信号発生装置と、前記第一電気パルス信号および前記第二電気パルス信号を生成する電気パルス信号源と、を備え、前記光信号発生装置の出力を被測定物に与えるように構成される。
【００１９】
本発明にかかる光信号ビットレート調整方法は、光を分波して第一分波光および第二分波光を得る分波部と、前記第一分波光が通過する第一光路と、前記第二分波光が通過する第二光路と、前記第一光路を通過した前記第一分波光と、前記第二光路を通過した前記第二分波光とを合波する合波部と、を備えた光信号ビットレート調整装置における光信号ビットレート調整方法であって、前記第一光路に沿って配置された複数の第一時間変化部により、前記第一分波光が前記第一光路を通過する時間を、与えられる第一電気パルス信号に応じて変化させる工程と、前記第二光路に沿って配置された複数の第二時間変化部により、前記第二分波光が前記第二光路を通過する時間を、与えられる第二電気パルス信号に応じて変化させる工程と、を備え、前記第一電気パルス信号および前記第二電気パルス信号は、パルス幅PWが共通しており、複数の前記第一時間変化部の個数をN1とし（ただし、N1は２以上の整数）、複数の前記第二時間変化部の個数をN2とし（ただし、N2は２以上の整数）、N = N1＋N2とし、前記第一時間変化部および前記第二時間変化部の前記第一光路の方向の軸上の座標をX(n)としたときに（ただし、nは、前記第一時間変化部および前記第二時間変化部を前記軸上に射影したものが、前記第一分波光が入射する前記第一光路の入射端を前記軸上に射影したものに近いほど小さな、1以上かつN以下の整数）、nが２以上の場合における、座標X(n)の前記第一時間変化部に与えられる前記第一電気パルス信号および座標X(n)の前記第二時間変化部に与えられる前記第二電気パルス信号は、座標X(1)の前記第一時間変化部または前記第二時間変化部に与えられる前記第一電気パルス信号または前記第二電気パルス信号を、(m/N+k)・PW+(X(n)−X(1))no/Cだけ遅延させたものに相当し（ただし、noは前記第一光路および前記第二光路の実効屈折率、Cは光速、kは任意の整数、mは１以上かつN−1以下の整数）、前記第一時間変化部および前記第二時間変化部の各々について、mは異なる値を有するように構成される。
【００２０】
本発明は、本発明にかかる光試験装置の前記電気パルス信号源を制御して、前記第一電気パルス信号および前記第二電気パルス信号を生成させる電気パルス信号生成制御処理をコンピュータに実行させるためのプログラムである。
【００２１】
本発明は、本発明にかかる光試験装置の前記電気パルス信号源を制御して、前記第一電気パルス信号および前記第二電気パルス信号を生成させる電気パルス信号生成制御処理をコンピュータに実行させるためのプログラムを記録したコンピュータによって読み取り可能な記録媒体である。
【発明を実施するための最良の形態】
【００２２】
以下、本発明の実施形態を図面を参照しながら説明する。
【００２３】
第一の実施形態
図１は、本発明の第一の実施形態にかかる光試験装置１の構成を示すブロック図である。光試験装置１は、ドライバモジュール（電気パルス信号源）１０、光信号発生装置２０を備える。なお、光信号発生装置２０の出力（光試験信号）は被測定物（DUT : Device Under Test）２に与えられる。なお、被測定物２は、例えば、光の入力を受け、光を出力するVLSI（光VLSIという）である。
【００２４】
ドライバモジュール（電気パルス信号源）１０は、第一電気パルス信号および第二電気パルス信号を生成する。ドライバモジュール１０は、ドライバ１０ａ、１０ｂ、１０ｃ、１０ｄを有する。ドライバ１０ａ、１０ｂ、１０ｃ、１０ｄは、所定の周波数（例えば、5Gbps）の電気パルスを受けて、第一電気パルス信号および第二電気パルス信号を生成する。すなわち、ドライバ１０ａ、１０ｂが第一電気パルス信号を生成し、ドライバ１０ｃ、１０ｄが第二電気パルス信号を生成する。ドライバ１０ａ、１０ｂ、１０ｃ、１０ｄが生成する第一電気パルス信号および第二電気パルス信号のパルス幅PWは共通しており、位相も同じである。また、パルス幅PWは、第一電気パルス信号および第二電気パルス信号のビットレートBR（例えば、5Gbps）の逆数である。
【００２５】
ただし、後述するように、ドライバ１０ｂが生成する第一電気パルス信号、ドライバ１０ｃ、１０ｄが生成する第二電気パルス信号は、光信号発生装置２０により遅延させられる。
【００２６】
光信号発生装置２０は、連続波光源２２、光信号ビットレート調整装置２４、出力パルス光調整部２６を有する。
【００２７】
連続波光源２２は、光信号ビットレート調整装置２４に連続波光（CW光：Continuous
Wave Light）を与える。
【００２８】
光信号ビットレート調整装置２４は、第一電気パルス信号および第二電気パルス信号のビットレートBRに、第一電気パルス信号および第二電気パルス信号の個数を乗じた値のビットレートの光信号（出力パルス光）を出力する。第一の実施形態においては、5Gbps×4 = 20Gbpsのビットレートの出力パルス光を出力する。
【００２９】
出力パルス光調整部２６は、光信号ビットレート調整装置２４が出力する出力パルス光の高さまたはオフセットを調整し、光試験信号を出力する。図８は、出力パルス光の波形の一例を示す図である。出力パルス光の高さは、出力パルス光の最高の出力と最低の出力との差を意味する。出力パルス光のオフセットは、出力パルス光の最低の出力の値を意味する。出力パルス光の高さの調整は、例えば、減衰器により行うことができる。出力パルス光の高さおよびオフセットの調整は、例えば、出力パルス光を減衰器により減衰させたものと、CW光の位相を適宜変化させたものとを合波させることで行うことができる。
【００３０】
図２は、光信号ビットレート調整装置２４の平面図である。光信号ビットレート調整装置２４は、分波部２４ａ、第一光路２４ｂ、第二光路２４ｃ、合波部２４ｄ、第一時間変化部２４０ａ、２４０ｂ、第二時間変化部２４２ａ、２４２ｂ、遅延部２４４、可変遅延部２４８ｂ、２４８ｃ、２４８ｄを有する。光信号ビットレート調整装置２４の、これらの構成要素は、基板（例えば、LiNbO3結晶の基板）の上に形成されている。ただし、基板は図示省略する。
【００３１】
分波部２４ａには、連続波光源２２からCW光が与えられる。分波部２４ａは、CW光を分波して第一分波光および第二分波光を得る。
【００３２】
第一光路２４ｂを、第一分波光が通過する。第二光路２４ｃを、第二分波光が通過する。第一光路２４ｂおよび第二光路２４ｃは、互いに同じ長さの直線状であり、しかも、互いに平行であることが好ましい。なお、第一光路２４ｂおよび第二光路２４ｃの実効屈折率は共に同じ値noであるとする。
【００３３】
合波部２４ｄは、第一光路２４ｂを通過した第一分波光と、第二光路２４ｃを通過した第二分波光とを合波して、出力する。合波部２４ｄの出力を出力パルス光という。出力パルス光は、出力パルス光調整部２６に与えられる。
【００３４】
複数の第一時間変化部２４０ａ、２４０ｂは、第一光路２４ｂに沿って配置されている。第一時間変化部２４０ａは、正電極Ｐ、負電極Ｇを有する。正電極Ｐは、ドライバ１０ａに接続されている。負電極Ｇは、接地されている。
【００３５】
第一時間変化部２４０ａは、正電極Ｐから負電極Ｇに向かって電界を発生する。この電界の大きさは、ドライバ１０ａから第一時間変化部２４０ａに与えられる第一電気パルス信号ＣＨ１の電圧に応じたものである。第一時間変化部２４０ａが発生した電界に応じて、正電極Ｐおよび負電極Ｇに挟まれた第一光路２４ｂの部分（所定の部分）の屈折率が変化する。すなわち、屈折率の変化は、ドライバ１０ａから第一時間変化部２４０ａに与えられる第一電気パルス信号ＣＨ１の電圧に応じたものである。この屈折率の変化に応じて、第一分波光が第一光路２４ｂを通過する時間が変化する。
【００３６】
なお、第一時間変化部２４０ａは、ドライバ１０ａから第一時間変化部２４０ａに与えられる第一電気パルス信号ＣＨ１が所定の状態のとき（例えば、パルスの電圧がHighの場合）に、第一分波光の位相をπ変化させるものとする。
【００３７】
第一時間変化部２４０ｂは、正電極Ｐ、負電極Ｇを有する。正電極Ｐは、可変遅延部２４８ｂを介して、ドライバ１０ｂに接続されている。負電極Ｇは、接地されている。
【００３８】
第一時間変化部２４０ｂは、正電極Ｐから負電極Ｇに向かって電界を発生する。この電界の大きさは、ドライバ１０ｂから、可変遅延部２４８ｂを介して、第一時間変化部２４０ｂに与えられる第一電気パルス信号ＣＨ３の電圧に応じたものである。第一時間変化部２４０ｂが発生した電界に応じて、正電極Ｐおよび負電極Ｇに挟まれた第一光路２４ｂの部分（所定の部分）の屈折率が変化する。すなわち、屈折率の変化は、ドライバ１０ｂから、可変遅延部２４８ｂを介して、第一時間変化部２４０ｂに与えられる第一電気パルス信号ＣＨ３の電圧に応じたものである。この屈折率の変化に応じて、第一分波光が第一光路２４ｂを通過する時間が変化する。
【００３９】
なお、第一時間変化部２４０ｂは、ドライバ１０ｂから、可変遅延部２４８ｂを介して、第一時間変化部２４０ｂに与えられる第一電気パルス信号ＣＨ３が所定の状態のとき（例えば、パルスの電圧がHighの場合）に、第一分波光の位相をπ変化させるものとする。
【００４０】
複数の第二時間変化部２４２ａ、２４２ｂは、第二光路２４ｃに沿って配置されている。第二時間変化部２４２ａは、正電極Ｐ、負電極Ｇを有する。正電極Ｐは、可変遅延部２４８ｃを介して、ドライバ１０ｃに接続されている。負電極Ｇは、接地されている。
【００４１】
第二時間変化部２４２ａは、正電極Ｐから負電極Ｇに向かって電界を発生する。この電界の大きさは、ドライバ１０ｃから、可変遅延部２４８ｃを介して、第二時間変化部２４２ａに与えられる第二電気パルス信号ＣＨ２の電圧に応じたものである。第二時間変化部２４２ａが発生した電界に応じて、正電極Ｐおよび負電極Ｇに挟まれた第二光路２４ｃの部分（所定の部分）の屈折率が変化する。すなわち、屈折率の変化は、ドライバ１０ｃから、可変遅延部２４８ｃを介して、第二時間変化部２４２ａに与えられる第二電気パルス信号ＣＨ２の電圧に応じたものである。この屈折率の変化に応じて、第二分波光が第二光路２４ｃを通過する時間が変化する。
【００４２】
なお、第二時間変化部２４２ａは、ドライバ１０ｃから、可変遅延部２４８ｃを介して、第二時間変化部２４２ａに与えられる第二電気パルス信号ＣＨ２が所定の状態のとき（例えば、パルスの電圧がHighの場合）に、第二分波光の位相をπ変化させるものとする。
【００４３】
第二時間変化部２４２ｂは、正電極Ｐ、負電極Ｇを有する。正電極Ｐは、可変遅延部２４８ｄを介して、ドライバ１０ｄに接続されている。負電極Ｇは、接地されている。
【００４４】
第二時間変化部２４２ｂは、正電極Ｐから負電極Ｇに向かって電界を発生する。この電界の大きさは、ドライバ１０ｄから、可変遅延部２４８ｄを介して、第二時間変化部２４２ｂに与えられる第二電気パルス信号ＣＨ４の電圧に応じたものである。第二時間変化部２４２ｂが発生した電界に応じて、正電極Ｐおよび負電極Ｇに挟まれた第二光路２４ｃの部分（所定の部分）の屈折率が変化する。すなわち、屈折率の変化は、ドライバ１０ｄから、可変遅延部２４８ｄを介して、第二時間変化部２４２ｂに与えられる第二電気パルス信号ＣＨ４の電圧に応じたものである。この屈折率の変化に応じて、第二分波光が第二光路２４ｃを通過する時間が変化する。
【００４５】
なお、第二時間変化部２４２ｂは、ドライバ１０ｄから、可変遅延部２４８ｄを介して、第二時間変化部２４２ｂに与えられる第二電気パルス信号ＣＨ４が所定の状態のとき（例えば、パルスの電圧がHighの場合）に、第二分波光の位相をπ変化させるものとする。
【００４６】
遅延部２４４は、第一電気パルス信号および第二電気パルス信号が光信号発生装置２０に与えられないときに、合波部２４ｄの出力が最小になるように、第一分波光および第二分波光の一方または双方を遅延させる。なお、図２に示す例においては、遅延部２４４は、第一光路２４ｂに沿って配置されており、第一分波光を遅延させることになる。
【００４７】
また、遅延部２４４は、正電極Ｐ、負電極Ｇを有する。正電極Ｐには、直流電圧を出力するDCバイアスが接続されている。負電極Ｇは、接地されている。DCバイアスの電圧に応じた電界が正電極Ｐから負電極Ｇに向かって発生する。この電界に応じて、正電極Ｐおよび負電極Ｇに挟まれた第一光路２４ｂの部分の屈折率が変化し、第一分波光が遅延する。DCバイアスの電圧を調節することで、第一分波光を遅延させる時間を調節し、第一電気パルス信号および第二電気パルス信号が光信号発生装置２０に与えられないときの合波部２４ｄの出力が最小になるようにすることができる。
【００４８】
この場合、遅延部２４４は、第一電気パルス信号および第二電気パルス信号が光信号発生装置２０に与えられないときの、第一分波光および第二分波光の位相差をπにすることになる。
【００４９】
遅延部２４４が無く、しかも、第一電気パルス信号および第二電気パルス信号が光信号発生装置２０に与えられないときの、第一分波光および第二分波光の位相差が０であれば、遅延部２４４が第一分波光の位相をπ変化させるようにすることになる。
【００５０】
遅延部２４４が無く、しかも、第一電気パルス信号および第二電気パルス信号が光信号発生装置２０に与えられないときの、第一分波光および第二分波光の位相差がｄであれば、遅延部２４４が第一分波光の位相を（π−ｄ）変化させるようにすることになる。
【００５１】
なお、遅延部２４４は、第一電気パルス信号および第二電気パルス信号が光信号発生装置２０に与えられないときに、合波部２４ｄの出力が最大になるように、第一分波光および第二分波光の一方または双方を遅延させることも考えられる。
【００５２】
可変遅延部２４８ｂは、第一電気パルス信号ＣＨ３を、第一電気パルス信号ＣＨ１に対して遅延させる。可変遅延部２４８ｃは、第二電気パルス信号ＣＨ２を、第一電気パルス信号ＣＨ１に対して遅延させる。可変遅延部２４８ｄは、第二電気パルス信号ＣＨ４を、第一電気パルス信号ＣＨ１に対して遅延させる。
【００５３】
なお、可変遅延部２４８ｂ、２４８ｃ、２４８ｄは、第一電気パルス信号ＣＨ３、第二電気パルス信号ＣＨ２、ＣＨ４を、第一電気パルス信号ＣＨ１に対して、遅延させる時間について、以下に説明する。また、可変遅延部２４８ｂ、２４８ｃ、２４８ｄは、第一電気パルス信号ＣＨ３、第二電気パルス信号ＣＨ２、ＣＨ４を遅延させる時間を、以下の式（１）に示す値になるように、変化させることができる。
【００５４】
複数の第一時間変化部２４０ａ、２４０ｂの個数をN1とする（ただし、N1は２以上の整数）。複数の第二時間変化部２４２ａ、２４２ｂの個数をN2とする（ただし、N2は２以上の整数）。また、N = N1＋N2とする。第一の実施形態においては、N1 = 2、N2 = 2、N = 4である。
【００５５】
図３は、第一時間変化部２４０ａ、２４０ｂ、第二時間変化部２４２ａ、２４２ｂの座標を説明するための図である。なお、図示の便宜上、図３は、光信号ビットレート調整装置２４については、分波部２４ａ、第一光路２４ｂ、第二光路２４ｃ、合波部２４ｄ、第一時間変化部２４０ａ、２４０ｂ、第二時間変化部２４２ａ、２４２ｂのみを図示している。
【００５６】
第一分波光が入射する第一光路２４ｂの入射端を２４ｂ１という。入射端２４ｂ１は、分波部２４ａと第一光路２４ｂとが接合する部分といえる。第一光路２４ｂの方向の軸をXとする。第一時間変化部２４０ａ、２４０ｂ、第二時間変化部２４２ａ、２４２ｂを1以上かつN( = 4)以下の整数nに対応づける。ただし、第一時間変化部２４０ａ、２４０ｂ、第二時間変化部２４２ａ、２４２ｂを軸X上に射影したものが、入射端２４ｂ１を軸X上に射影したものに近いほど、整数nが小さいものとする。なお、第一時間変化部２４０ａ、２４０ｂ、第二時間変化部２４２ａ、２４２ｂを軸X上に射影する場合、第一時間変化部２４０ａ、２４０ｂ、第二時間変化部２４２ａ、２４２ｂの任意の一点（例えば、重心）を軸X上に射影するものとする。
【００５７】
すると、第一時間変化部２４０ａがn = 1に、第二時間変化部２４２ａがn = 2に、第一時間変化部２４０ｂがn = 3に、第二時間変化部２４２ｂがn = 4に対応づけられる。
【００５８】
ここで、nが２以上の場合における、座標X(n)の第一時間変化部２４０ｂ（ただし、n = 3）に与えられる第一電気パルス信号ＣＨ３および座標X(n)の第二時間変化部２４２ａ、２４２ｂに与えられる第二電気パルス信号ＣＨ２、ＣＨ４（ただし、n
= 2, 4）は、座標X(1)の第一時間変化部２４０ａに与えられる第一電気パルス信号ＣＨ１を、
(m/N+k)・PW+(X(n)−X(1))no/C    （１）
だけ遅延させたものに相当する。ただし、Cは光速、kは任意の整数、mは１以上かつN−1以下の整数である。しかも、第一時間変化部２４０ｂおよび第二時間変化部２４２ａ、２４２ｂの各々について、mは異なる値を有する。
【００５９】
なお、第二時間変化部２４２ａが座標X(1)に対応するように配置される場合（第二時間変化部２４２ａを軸X上に射影したものが、入射端２４ｂ１を軸X上に射影したものに最も近い場合）は、座標X(n)（ただし、n = 2, 3, 4）に対応する第一時間変化部（第二時間変化部）に与えられる第一電気パルス信号（第二電気パルス信号）が、第二時間変化部２４２ａに与えられる第二電気パルス信号よりも、式（１）に示す時間だけ遅延する。
【００６０】
図４は、X(n)−X(1) = 0（ただし、n = 2, 3, 4）かつk = 0のときの第一電気パルス信号ＣＨ１、ＣＨ３、第二電気パルス信号ＣＨ２、ＣＨ４および出力パルス光の波形を示す図である。すると、第一電気パルス信号ＣＨ１、ＣＨ３および第二電気パルス信号ＣＨ２、ＣＨ４は、式（１）にX(n)−X(1) = 0かつk = 0を代入し、
(m/N)・PW    （２）
となる。
【００６１】
ただし、nが小さいほど、mが小さいとする。すなわち、n = 2のときは（第二時間変化部２４２ａ、第二電気パルス信号ＣＨ２に対応）、m = 1である。n = 3のときは（第一時間変化部２４０ｂ、第一電気パルス信号ＣＨ３に対応）、m = 2である。n = 4のときは（第二時間変化部２４２ｂ、第二電気パルス信号ＣＨ４に対応）、m = 3である。よって、第一電気パルス信号ＣＨ１、第二電気パルス信号ＣＨ２、第一電気パルス信号ＣＨ３、第二電気パルス信号ＣＨ４の波形は、PW/4( = PW/N)ずつずれることになる。
【００６２】
この場合、出力パルス光のパルス幅は、PW/4となる。
【００６３】
次に、第一の実施形態の動作を説明する。
【００６４】
まず、第一電気パルス信号および第二電気パルス信号を光信号発生装置２０に与えない状態で、連続波光源２２からCW光を光信号ビットレート調整装置２４の分波部２４ａに与える。CW光は、分波されて、第一分波光および第二分波光となって、第一光路２４ｂおよび第二光路２４ｃを通過する。合波部２４ｄは、第一光路２４ｂを通過した第一分波光と、第二光路２４ｃを通過した第二分波光とを合波して、出力パルス光を出力する。出力パルス光のパワーは図示しないパワー測定器により測定される。
【００６５】
ここで、DCバイアスの電圧を変化させながら、出力パルス光のパワーを測定する。DCバイアスの電圧に応じて、遅延部２４４の正電極Ｐおよび負電極Ｇに挟まれた第一光路２４ｂの部分の屈折率が変化し、第一分波光が遅延する。これにより、第一分波光および第二分波光の位相差が変化する。
【００６６】
出力パルス光のパワーが最小になるように、DCバイアスの電圧を調整する。これにより、遅延部２４４は、第一電気パルス信号および第二電気パルス信号が光信号発生装置２０に与えられないときの、第一分波光および第二分波光の位相差をπにすることになる。
【００６７】
その後、第一電気パルス信号および第二電気パルス信号を光信号発生装置２０に与え、連続波光源２２からCW光を光信号ビットレート調整装置２４の分波部２４ａに与える。CW光は、分波されて、第一分波光および第二分波光となって、第一光路２４ｂおよび第二光路２４ｃを通過する。ただし、第一分波光は、遅延部２４４、第一時間変化部２４０ａ、２４０ｂにより遅延され、第二分波光は第二時間変化部２４２ａ、２４２ｂにより遅延される。これにより、第一分波光と第二分波光との位相差が変化する。よって、出力パルス光の波形が以下のように変化する。
【００６８】
まず、X(n)−X(1) = 0（ただし、n = 2, 3, 4）かつk = 0であると仮定する。この場合、第一電気パルス信号ＣＨ１、ＣＨ３、第二電気パルス信号ＣＨ２、ＣＨ４の波形は図４に示すようなものとなる。なお、図４において、区間（ａ）、（ｂ）、（ｃ）、（ｄ）の幅（時間の長さ）は、PW/4である。
【００６９】
区間（ａ）において、第一電気パルス信号ＣＨ１がHighであり、第一電気パルス信号ＣＨ３、第二電気パルス信号ＣＨ２、ＣＨ４がLowである。このとき、第一分波光の位相は、遅延部２４４によりπ、第一時間変化部２４０ａによりπ変化する。よって、第一分波光の位相は、π＋π＝２π変化する。これは、位相が全く変化しないことに相当する。第二分波光の位相は、全く変化しない。第一分波光および第二分波光の位相が変化しないで（第一分波光の位相と第二分波光の位相との差が０である）、合波部２４ｄにより合波されるので、第一分波光および第二分波光は強めあい、合波部２４ｄの出力（出力パルス光）の強度はHighとなる。
【００７０】
区間（ｂ）において、第一電気パルス信号ＣＨ１、第二電気パルス信号ＣＨ２がHighであり、第一電気パルス信号ＣＨ３、ＣＨ４がLowである。このとき、第一分波光の位相は、遅延部２４４によりπ、第一時間変化部２４０ａによりπ変化する。よって、第一分波光の位相は、π＋π＝２π変化する。これは、位相が全く変化しないことに相当する。第二分波光の位相は、第二時間変化部２４２ａによりπ変化する。第一分波光の位相と第二分波光の位相との差がπとなり、第一分波光および第二分波光が合波部２４ｄにより合波されるので、第一分波光および第二分波光は弱めあい、合波部２４ｄの出力（出力パルス光）の強度はLowとなる。
【００７１】
区間（ｃ）において、第一電気パルス信号ＣＨ１、ＣＨ３、第二電気パルス信号ＣＨ２がHighであり、第一電気パルス信号ＣＨ４がLowである。このとき、第一分波光の位相は、遅延部２４４によりπ、第一時間変化部２４０ａによりπ、第一時間変化部２４０ｂによりπ変化する。よって、第一分波光の位相は、π＋π＋π＝３π変化する。これは、位相がπ変化することに相当する。第二分波光の位相は、第二時間変化部２４２ａによりπ変化する。第一分波光の位相と第二分波光の位相との差が０となり、第一分波光および第二分波光が合波部２４ｄにより合波されるので、第一分波光および第二分波光は強めあい、合波部２４ｄの出力（出力パルス光）の強度はHighとなる。
【００７２】
区間（ｄ）において、第一電気パルス信号ＣＨ１、ＣＨ３、第二電気パルス信号ＣＨ２、ＣＨ４がHighである。このとき、第一分波光の位相は、遅延部２４４によりπ、第一時間変化部２４０ａ、第一時間変化部２４０ｂによりπ変化する。よって、第一分波光の位相は、π＋π＋π＝３π変化する。これは、位相がπ変化することに相当する。第二分波光の位相は、第二時間変化部２４２ａによりπ、第二時間変化部２４２ｂによりπ変化する。よって、第二分波光の位相は、π＋π＝２π変化する。これは、位相が全く変化しないことに相当する。第一分波光の位相と第二分波光の位相との差がπとなり、第一分波光および第二分波光が合波部２４ｄにより合波されるので、第一分波光および第二分波光は弱めあい、合波部２４ｄの出力（出力パルス光）の強度はLowとなる。
【００７３】
このように、出力パルス光は、パルス幅がPW/4のパルスとなる。よって、出力パルス光のビットレートは、PW/4の逆数、すなわち、4BRとなる。第一電気パルス信号および第二電気パルス信号のビットレートBRが5Gbpsであるとすれば、出力パルス光のビットレートは5Gbps×4 = 20Gbpsとなる。
【００７４】
なお、図４においては、nが小さいほど、mが小さいとしているが、必ずしも、それに限定されない。第一時間変化部２４０ｂおよび第二時間変化部２４２ａ、２４２ｂの各々について、mは異なる値を有するようにすればよい。例えば、n
= 2のときにm = 3、n = 3のときにm = 2、n = 4のときにm = 1となってもよい。
【００７５】
図９は、このような（n = 2のときにm = 3、n = 3のときにm = 2、n = 4のときにm = 1）変形例における第一電気パルス信号ＣＨ１、ＣＨ３、第二電気パルス信号ＣＨ２、ＣＨ４および出力パルス光の波形を示す図である。図９に示す場合、X(n)−X(1) = 0（ただし、n = 2, 3, 4）かつk = 0であるとすれば、図４に示す第二電気パルス信号ＣＨ２の波形と、第二電気パルス信号ＣＨ４の波形とが入れ替わることになる。このような場合であっても、出力パルス光の波形は、図４に示すものと同じになる。
【００７６】
また、図４においては、k = 0としているが、kは任意の整数であればよく、しかも異なるnに対してkは異なる値をとってもよい。例えば、n = 2のときにk = 1とし、n = 3, 4のときにk = 0とする。
【００７７】
図１０は、このような（n = 2のときにk = 1とし、n = 3, 4のときにk = 0）変形例における第一電気パルス信号ＣＨ１、ＣＨ３、第二電気パルス信号ＣＨ２、ＣＨ４および出力パルス光の波形を示す図である。図１０に示す場合、X(n)−X(1) = 0（ただし、n = 2, 3, 4）であるとすれば、区間（ａ）は図４と同様にHighとなり、区間（ｂ）、（ｃ）、（ｄ）はHigh, Low, Highとなる。なお、区間（ｄ）の後に続く、区間（ｅ）、（ｆ）、（ｇ）、（ｈ）（幅PW/4）は、Low, High, Low,
Highとなる。
【００７８】
図１０に示すように、kの値を適宜設定することで、出力パルス光のビットレートを4BRとしたまま、出力パルス光の波形を変化させることができる。例えば、区間（ａ）、（ｂ）を参照して、Highを連続させることができる。
【００７９】
また、図３に示すように、実際には、n = 2,
3, 4において、X(n)−X(1) > 0である。すると、第一分波光が、第一光路２４ｂにおける座標X(1)に相当する地点に到達してから、座標X(2)、X(3)、X(4)に相当する地点に到達するまでの時間を無視できない。
【００８０】
よって、実際には、図４に示す場合よりも、第二電気パルス信号ＣＨ２を、第一電気パルス信号ＣＨ１に対して、(X(2)−X(1))no/Cだけ（すなわち、第一分波光が、第一光路２４ｂにおける座標X(1)に相当する地点に到達してから、座標X(2)に相当する地点に到達するまでの時間）、さらに遅延させるようにしなければ、図４に示す波形の出力パルス光を得ることができない。
【００８１】
第一電気パルス信号ＣＨ３も、同様に、図４に示す場合よりも、第一電気パルス信号ＣＨ１に対して、(X(3)−X(1))no/Cだけ（すなわち、第一分波光が、第一光路２４ｂにおける座標X(1)に相当する地点に到達してから、座標X(3)に相当する地点に到達するまでの時間）、さらに遅延させるようにしなければ、図４に示す波形の出力パルス光を得ることができない。
【００８２】
第二電気パルス信号ＣＨ４も、同様に、図４に示す場合よりも、第一電気パルス信号ＣＨ１に対して、(X(4)−X(1))no/Cだけ（すなわち、第一分波光が、第一光路２４ｂにおける座標X(1)に相当する地点に到達してから、座標X(4)に相当する地点に到達するまでの時間）、さらに遅延させるようにしなければ、図４に示す波形の出力パルス光を得ることができない。
【００８３】
よって、座標X(n)の第一時間変化部２４０ｂ（ただし、n = 3）に与えられる第一電気パルス信号ＣＨ３および座標X(n)の第二時間変化部２４２ａ、２４２ｂに与えられる第二電気パルス信号ＣＨ２、ＣＨ４（ただし、n = 2, 4）は、座標X(1)の第一時間変化部２４０ａに与えられる第一電気パルス信号ＣＨ１を、式（１）により表される時間だけ遅延させたものに相当するものとしている。
【００８４】
合波部２４ｄの出力する出力パルス光は、出力パルス光調整部２６に与えられる。出力パルス光調整部２６は、光信号ビットレート調整装置２４の合波部２４ｄが出力する出力パルス光の高さまたはオフセットを調整し、光試験信号を出力する。光試験信号は被測定物２に与えられる。
【００８５】
第一の実施形態によれば、第一電気パルス信号および第二電気パルス信号のビットレートBR（例えば、5Gbps）よりも高いビットレート（例えば、20Gbps）の出力パルス光を得ることができる。すなわち、出力パルス光のビットレートを適宜調整することになる。
【００８６】
第二の実施形態
第二の実施形態にかかる光信号発生装置２０は、第一の実施形態にかかる光信号発生装置２０の連続波光源２２をパルス光源２３に変更し、それに対応して、NRZ変換部２５、NRZパルス光調整部２７を備えたものである。
【００８７】
図５は、本発明の第二の実施形態にかかる光試験装置１の構成を示すブロック図である。第二の実施形態にかかる光試験装置１は、ドライバモジュール（電気パルス信号源）１０、光信号発生装置２０を備える。以下、第一の実施形態と同様な部分は同一の番号を付して説明を省略する。ドライバモジュール１０は、第一の実施形態と同様であり、説明を省略する。
【００８８】
光信号発生装置２０は、パルス光源２３、光信号ビットレート調整装置２４、NRZ変換部２５、NRZパルス光調整部２７を有する。
【００８９】
パルス光源２３は、分波部２４ａに入力パルス光を与える。
【００９０】
光信号ビットレート調整装置２４は、第一の実施形態と同様であり、説明を省略する。ただし、出力パルス光の波形について、図１１を参照して説明する。図１１は、第二の実施形態における、X(n)−X(1) = 0（ただし、n = 2, 3, 4）かつk = 0のときの第一電気パルス信号ＣＨ１、ＣＨ３、第二電気パルス信号ＣＨ２、ＣＨ４および出力パルス光の波形を示す図である。
【００９１】
第一電気パルス信号ＣＨ１、ＣＨ３、第二電気パルス信号ＣＨ２、ＣＨ４の波形は、第一の実施形態と同様であり、説明を省略する。ただし、分波部２４ａには入力パルス光が与えられており、そのパルス幅をPW/16と仮定する。すると、区間（ａ）、（ｃ）において、本来Highとなるべき出力パルス光の波形が（図４参照）、High, Low, High, Lowとなる。このように、区間（ａ）、（ｃ）の出力パルス光の波形が、HighからLowに戻って、またHighになる。すなわち、出力パルス光はRZ(return-to-zero)信号となる。
【００９２】
NRZ変換部２５は、合波部２４ｄが出力するRZ信号である出力パルス光をNRZ(non-return-to-zero)信号パルス光に変換する。RZ信号光をNRZ信号光に変換する方法は周知なので説明を省略する。NRZ信号パルス光は、区間（ａ）、（ｃ）において、HighからLowに戻らないで、Highになり続ける。
【００９３】
NRZパルス光調整部２７は、NRZ信号パルス光の高さまたはオフセットを調整し、光試験信号を出力する。NRZパルス光調整部２７は、出力パルス光調整部２６と同様な構成である。
【００９４】
なお、被測定物２がNRZ信号の光に対応し、RZ信号の光に対応しないものとする。
【００９５】
第二の実施形態の動作は、第一の実施形態と同様である。ただし、出力パルス光の波形がRZ信号になること（図１１参照）、NRZ変換部２５により出力パルス光をNRZ信号パルス光とすることが、第一の実施形態と異なる。
【００９６】
第二の実施形態によれば、第一の実施形態と同様な効果を奏する。しかも、パルス光源２３を用いることで、タイミング精度を上げることができる。
【００９７】
なお、被測定物２がRZ信号の光に対応するのであれば、NRZ変換部２５を省略してもよい。この場合は、NRZパルス光調整部２７が、RZ信号である出力パルス光の高さまたはオフセットを調整するようにする。
【００９８】
なお、図６は、第一の実施形態に、第一の実施形態にかかる光試験装置１のドライバモジュール１０を制御する電気パルス信号生成制御部３０を追加したものを示す図、図７は、第二の実施形態に、第二の実施形態にかかる光試験装置１のドライバモジュール１０を制御する電気パルス信号生成制御部３０を追加したものを示す図である。
【００９９】
図６および図７において、電気パルス信号生成制御部３０は、ドライバモジュール１０を制御して、パルス幅PWが共通し、位相も同じである第一電気パルス信号および第二電気パルス信号をドライバモジュール１０が生成するようにする。
【０１００】
ここで、ＣＰＵ、ハードディスク、メディア（フロッピー（登録商標）ディスク、ＣＤ−ＲＯＭなど）読み取り装置を備えたコンピュータに、電気パルス信号生成制御部３０を実現するプログラムを記録したメディアを読み取らせて、ハードディスクにインストールする。このような方法でも、電気パルス信号生成制御部３０の機能を実現できる。
【図面の簡単な説明】
【０１０１】
【図１】本発明の第一の実施形態にかかる光試験装置１の構成を示すブロック図である。
【図２】光信号ビットレート調整装置２４の平面図である。
【図３】第一時間変化部２４０ａ、２４０ｂ、第二時間変化部２４２ａ、２４２ｂの座標を説明するための図である。
【図４】X(n)−X(1) = 0（ただし、n = 2, 3, 4）かつk = 0のときの第一電気パルス信号ＣＨ１、ＣＨ３、第二電気パルス信号ＣＨ２、ＣＨ４および出力パルス光の波形を示す図である。
【図５】本発明の第二の実施形態にかかる光試験装置１の構成を示すブロック図である。
【図６】第一の実施形態に、第一の実施形態にかかる光試験装置１のドライバモジュール１０を制御する電気パルス信号生成制御部３０を追加したものを示す図である。
【図７】第二の実施形態に、第二の実施形態にかかる光試験装置１のドライバモジュール１０を制御する電気パルス信号生成制御部３０を追加したものを示す図である。
【図８】出力パルス光の波形の一例を示す図である。
【図９】n = 2のときにm = 3、n = 3のときにm = 2、n = 4のときにm = 1となる変形例における第一電気パルス信号ＣＨ１、ＣＨ３、第二電気パルス信号ＣＨ２、ＣＨ４および出力パルス光の波形を示す図である。
【図１０】n = 2のときにk = 1とし、n = 3, 4のときにk = 0となる変形例における第一電気パルス信号ＣＨ１、ＣＨ３、第二電気パルス信号ＣＨ２、ＣＨ４および出力パルス光の波形を示す図である。
【図１１】第二の実施形態における、X(n)−X(1) = 0（ただし、n = 2, 3, 4）かつk = 0のときの第一電気パルス信号ＣＨ１、ＣＨ３、第二電気パルス信号ＣＨ２、ＣＨ４および出力パルス光の波形を示す図である。
【符号の説明】
【０１０２】
１  光試験装置
２  被測定物
１０  ドライバモジュール（電気パルス信号源）
１０ａ、１０ｂ、１０ｃ、１０ｄ  ドライバ
２０  光信号発生装置
BR  第一電気パルス信号および第二電気パルス信号のビットレート
PW  第一電気パルス信号および第二電気パルス信号のパルス幅
C  光速
k  任意の整数
m  １以上かつN−1以下の整数
ＣＨ１、ＣＨ３  第一電気パルス信号
ＣＨ２、ＣＨ４  第二電気パルス信号
２２  連続波光源
２３  パルス光源
２４  光信号ビットレート調整装置
２５  NRZ変換部
２６  出力パルス光調整部
２７  NRZパルス光調整部
２４ａ  分波部
２４ｂ  第一光路
２４ｃ  第二光路
２４ｄ  合波部
２４０ａ、２４０ｂ  第一時間変化部
２４２ａ、２４２ｂ  第二時間変化部
２４４  遅延部
２４８ｂ、２４８ｃ、２４８ｄ  可変遅延部
【図１】
0005025565.tif 000002
【図２】
0005025565.tif 000003
【図３】
0005025565.tif 000004
【図４】
0005025565.tif 000005
【図５】
0005025565.tif 000006
【図６】
0005025565.tif 000007
【図７】
0005025565.tif 000008
【図８】
0005025565.tif 000009
【図９】
0005025565.tif 000010
【図１０】
0005025565.tif 000011
【図１１】
0005025565.tif 000012